(57)【特許請求の範囲】
【請求項１】
歯列矯正術に使用するための自己結紮式ブラケットであって、該自己結紮式ブラケットは、
ベース（１）；
該ベース（１）に配置された支持体（４）；
該支持体（４）から延びる少なくとも１個の咬合側の結紮ウィング（９）を有する咬合側壁体（６）；
前記支持体（４）から延びる少なくとも１個の歯肉側の結紮ウィング（８）を有する歯肉側壁体（５）；
前記咬合側壁体（６）を歯肉側壁体（５）から分離し、近心面から遠心面の方向に継続的に延びるスロット（７）；
歯肉側から咬合側の方向に前記支持体（４）を通じて継続的に延びる通路（１８）；ならびに咬合側または歯肉側の部分（２８）により一方から他方へ連結される唇側脚体（２７）および舌側脚体（２６）を有するクリップ（２５’）からなり；
前記舌側脚体（２６）は、通路（１８）に収容され、クリップ（２５’）の閉位置と開位置の間で、歯肉側から咬合側の方向のみの通路における移動のために配置され；
閉位置において、前記唇側脚体（２７）は、それぞれ歯肉側壁体（５）または咬合側壁体中の切抜部分（２４）中に延び、該切抜部分は、少なくとも唇側の方向において、唇側脚体（２７）のための止め具（３５）を備えており；
開位置において、前記唇側脚体（２７）の先端は、それぞれ咬合側壁体（６）または歯肉側壁体の上に位置し；
前記クリップ（２５）の唇側脚体（２７）は、遠心面方向に延びるウィング（３９もしくは４０）および／または近心面方向に延びるウィング（４０もしくは３９）を備えており；
前記クリップ（２５’）の閉位置において、少なくとも１個のウィング（３９、４０）は、スロット（７）の上またはスロット（７）の上部（唇側）の領域に位置するのに対し、クリップ（２５）の唇側脚体（２７）の舌側の延長部分（２９）は、切抜部分（２４）に位置し、延長部分（２９）は、ウィング（３９、４０）を横切って測定した唇側脚体（２７）の幅よりも狭く；
唇側の止め具（３５）は、遠心面および近心面の端（３４）の間の領域において、舌側の方向に突き出る切抜部分（２４）の唇側の端の上に形成されるものであることを特徴とする自己結紮式ブラケット。
【請求項２】
前記切抜部分（２４）の唇側の端（３５）が、スロット（７）を横切るその中心面に関して鏡像対称的に舌側の方向に突き出ることを特徴とする請求項１に記載の自己結紮式ブラケット。
【請求項３】
前記切抜部分（２４）の唇側の端（３５）の中心部分が、舌側の方向に最大限に突き出ることを特徴とする請求項１〜２のいずれか一項に記載の自己結紮式ブラケット。
【請求項４】
前記切抜部分（２４）の唇側の端（３５）が凸状の形を有することを特徴とする請求項１〜３のいずれか一項に記載の自己結紮式ブラケット。
【請求項５】
前記切抜部分（２４）の唇側の端（３５）が、一方を他方と比較して１８０度超の角度で延びる２個の直線部分（４７、４８）を有することを特徴とする請求項１〜３のいずれか一項に記載の自己結紮式ブラケット。
【請求項６】
前記切抜部分（２４）の唇側の端（３５）の２個の直線部分（４７、４８）が、共通の角度点（４９）から延びることを特徴とする請求項５に記載の自己結紮式ブラケット。
【請求項７】
一方を他方と比較して１８０度超の角度で延びる切抜部分（２４）の唇側の端（３５）の２個の部分（４７、４８）が、第３の直線部分（５０）により連結されることを特徴とする請求項５に記載の自己結紮式ブラケット。
【請求項８】
前記切抜部分（２４）の唇側の端（３５）の第３の直線部分（５０）が、前記スロット（７）の底部と並行して延びることを特徴とする請求項７に記載の自己結紮式ブラケット。
【請求項９】
前記クリップ（２５’）の唇側脚体（２７）の延長部分（２９）が、スロット（７）が空のときでも、クリップ（２５’）の閉位置において、唇側の止め具（３５）と接触しているか、またはほぼ接触していることを特徴とする請求項１〜８のいずれか一項に記載の自己結紮式ブラケット。
【請求項１０】
前記ウィング（３９、４０）が切抜部分（２４）中に延びないことを特徴とする請求項１〜９のいずれか一項に記載の自己結紮式ブラケット。
【請求項１１】
前記ウィング（３９、４０）の端が丸みを帯びていることを特徴とする請求項１〜１０のいずれか一項に記載の自己結紮式ブラケット。
【請求項１２】
前記ウィング（３９、４０）の幅がその先端に向かって減少することを特徴とする請求項１〜１１のいずれか一項に記載の自己結紮式ブラケット。
【請求項１３】
前記ウィング（３９、４０）が唇側の方向に湾曲していることを特徴とする請求項１〜１２のいずれか一項に記載の自己結紮式ブラケット。
【請求項１４】
前記ウィング（３９、４０）が、ウィング（３９、４０）がそこから突き出しているクリップ（２５）の主要部分よりも、唇側の方向の曲げに対して小さい抵抗を示すことを特徴とする請求項１〜１３のいずれか一項に記載の自己結紮式ブラケット。
【請求項１５】
前記ウィング（３９、４０）がクリップ（２５）の主要部分よりも薄く、および／または柔らかいことを特徴とする請求項１４に記載の自己結紮式ブラケット。
【請求項１６】
前記クリップ（２５）の材料が、ウィング（３９）と該クリップ（２５）の主要部分との間で弱くなっていることを特徴とする請求項１４〜１５のいずれか一項に記載の自己結紮式ブラケット。
【請求項１７】
歯列矯正術に使用するためのブラケット（４４、４５、４６）からなるキットであって、
ベース（１）；
該ベース（１）に配置された支持体（４）；
該支持体（４）から延びる少なくとも１個の咬合側の結紮ウィング（９）を有する咬合側壁体（６）；
前記支持体（４）から延びる少なくとも１個の歯肉側の結紮ウィング（８）を有する歯肉側壁体（５）；
前記咬合側壁体（６）を歯肉側壁体（５）から分離し、近心面から遠心面の方向に継続的に延びるスロット（７）；および、
歯肉側から咬合側の方向に前記支持体（４）を通じて継続的に延びる通路（１８）；
ならびに、一方を他方と交換することができ、咬合側または歯肉側の部分（２８）により一方が他方に連結される１個の唇側脚体（２７）および１個の舌側脚体（２６）を有する、２個の異なるクリップ（２５、２５’）を有し、
前記舌側脚体（２６）は、通路（１８）に差し込むことができ、また閉位置とクリップ（２５、２５’）の開位置の間で、歯肉側から咬合側の方向にのみその中で移動することができ、
該閉位置において、唇側脚体（２７）は、歯肉側壁体（５）または咬合側壁体中の切抜部分（２４）中に延び、該切抜部分は、少なくとも唇側の方向において、唇側脚体（２７）のための止め具（３５）を備えており、
該開位置において、唇側脚体（２７）の先端は、それぞれ咬合側壁体（６）または歯肉側壁体の上に位置しており、
少なくとも１個のクリップ（２５’）（以下「第１」のクリップという）の唇側脚体（２７）は、遠心面方向に延びるウィング（３９もしくは４０）および／または近心面方向に延びるウィング（４０もしくは３９）を有しており、
第１のクリップ（２５’）の閉位置において、唇側脚体（２７）の歯肉側または咬合側の延長部分（２９）がそれぞれ、スロット（７）が空のときでも、唇側の止め具（３５）と接触しているか、または唇側の止め具（３５）とほぼ接触しているという特殊性を有しており、
他方のクリップ（２５）（以下「第２」のクリップという）の唇側脚体（２７）は、スロット（７）が空のときに、第１のクリップ（２５’）の唇側脚体（２７）の延長部分（２９）よりも、閉位置において、唇側の止め具（３５）から大きい距離があるものであることを特徴とするキット。
【請求項１８】
前記第２のクリップ（２５）の唇側脚体（２７）が、クリップの閉位置において、唇側の止め具（３５）と通路（１８）の間に提供された舌側の止め具（３７）と接触しているか、または該舌側の止め具（３７）とほぼ接触していることを特徴とする請求項１７に記載のキット。
【請求項１９】
前記第２のクリップ（２５）の唇側脚体（２７）が、予備応力で舌側の止め具（３７）に接触していることを特徴とする請求項１８に記載のキット。
【請求項２０】
前記スロットが別途空であるときに、前記第２のクリップ（２５）の唇側脚体（２７）がスロット（７）の舌側の底部から０．５ｍｍ以下の距離があることを特徴とする請求項１７〜１９のいずれか一項に記載のキット。
【請求項２１】
前記第２のクリップ（２５）の唇側脚体（２７）が２個のウィング（３９、４０）を有し、その一方が近心面の方向に延び、他方が遠心面の方向に延びることを特徴とする請求項１７〜２０のいずれかに一項に記載のキット。
【請求項２２】
前記第１のクリップ（２５’）の唇側脚体（２７）が２個のウィング（３９、４０）を有し、該ウィングが、１個を近心面の方向に延ばし、１個を遠心面の方向に延ばし、第１のクリップ（２５’）の閉位置において、スロット（７）の上、またはスロット（７）の上部（唇側）の領域に位置することを特徴とする請求項１７〜２１のいずれか一項に記載のキット。
【請求項２３】
前記ウィング（３９、４０）が切抜部分（２４）中に延びないことを特徴とする請求項２２に記載のキット。
【請求項２４】
前記第１のクリップ（２５’）の唇側脚体（２７）が、クリップの閉位置において、またスロット（７）が空の状態のときに、スロット（７）の底部から少なくとも０．０２５インチ（０．６４ｍｍに相当）の距離があることを特徴とする請求項１７〜２３のいずれか一項に記載のキット。
【発明の詳細な説明】
【技術分野】
【０００１】
本発明は、以下を有する歯列矯正術における使用のための自己結紮式ブラケットに関する。
ベース；
ベースに配置された支持体；
支持体から延びる少なくとも１個の咬合側の結紮ウィングを有する咬合側壁体；
支持体から延びる少なくとも１個の歯肉側の結紮ウィングを有する歯肉側壁体；
咬合側壁体と歯肉側壁体の一方を他方から分離し、近心面から遠心面の方向に継続的に延びるスロット；
歯肉側から咬合側の方向に支持体を通じて延びる通路；ならびに
咬合側の部分により一方から他方へ連結される唇側脚体および舌側脚体を有する弾性クリップ；
スロットに収容され、唇側脚体が歯肉側壁体中の切抜部分に延びる閉位置と唇側脚体の先端が咬合側壁体の上に位置するクリップの開位置との間で、歯肉側から咬合側の方向のスロットにおける移動のために配置される唇側脚体。
【０００２】
クリップがその開位置からその閉位置まで移動するにつれ、唇側脚体はスロットの中に跳び、その先端は、ブラケットの歯肉側壁体中の切抜部分の舌側の境界を形成する舌側の止め具に対する最初の圧力で静止する。該ブラケットは、ＤＥ  ２０  ２００４  ０１７  ９５２  Ｕにより知られている。
【０００３】
公知のブラケットの弾性クリップは、スロットの長さよりも狭い。クリップの唇側脚体は、２個のウィングを備えており、該ウィングは、一方を遠心面方向に延ばし、他方を近心面方向に延ばし、クリップがその閉位置を占めるときスロットに位置する。長方形の断面のアーチ・ワイヤがスロットに差し込まれ、該アーチ・ワイヤがクリップの唇側脚体の下で利用可能な内法よりも大きい高さを有しているとき−そしてこれが通常の場合である−、クリップの唇側脚体は、その弾性復元力の効果に対して、最大限の高さまで持ち上げられ、この場合、該唇側脚体は、２個の歯肉側の結紮ウィングを連結しブラケットの歯肉側壁体中の切抜部分の唇側の境界を形成するブリッジに寄り掛かる。
【０００４】
クリップによりアーチ・ワイヤに対して働く復元力が一定の個別の場合に不整合な歯に対し働く矯正力を実際に増大させる場合があるにもかかわらず、ある程度のニュートンで有意の値を有する復元力は、あらゆる場合において、アーチ・ワイヤとブラケット中のスロットとの間の摩擦を増大させ、一般に不整合の矯正の過程の進行を遅くする。
【０００５】
ここで、該不都合を是正し、前述の種類のブラケットの潜在的な用途を拡張することが本発明の目的である。
【０００６】
該目的は、スロットに収容されたアーチ・ワイヤが矯正過程の間に唇側の方向に少なくとも１個のウィングを弾性的に反らせる程度に重大な歯の不整合の矯正への請求項に記載される特徴を有する該ブラケットの適用、および請求項に記載される特徴を有するキットにより達成される。本発明の有益な一層の展開は、本願従属請求項の目的である。
【０００７】
請求項に従ったブラケットにおいて、その閉位置および負荷のない状態における弾性クリップの位置は、唇側脚体が、知られている自己結紮式ブラケットの場合よりも、最初から、スロットの底部から大きい距離を有する程度である。好ましくは、ブラケットに使用されるクリップは、負荷のない状態において十分に広く、その結果、アーチ・ワイヤが直線的にスロットにおいて延びる限り、クリップの唇側脚体は、歯列矯正の実務において遭遇するアーチ・ワイヤに対し圧力をかけない。実務において遭遇する歯列矯正用アーチ・ワイヤの最大の断面は、０．０２２インチ×０．０２５インチであり、０．０２５インチは、アーチ・ワイヤがブラケット中のスロットの底部の上を占めることができる高さである。０．０２５インチは、０．６４ｍｍに相当する。矯正されるべき歯に搭載されたアーチ・ワイヤが、クリップの唇側脚体に接触する程度に唇側の方向に曲がっていない限り、クリップは、アーチ・ワイヤに対して何ら力を及ぼさないが、その位置にアーチ・ワイヤを固定するためにのみ作用する。その場合、治療の進行を遅らせる可能性のある摩擦グリップおよび滑り摩擦は、アーチ・ワイヤとクリップの間に生じない。
【０００８】
しかしながら、極端な歯の不整合を矯正する場合、アーチ・ワイヤが一方または両方の側面においてクリップの唇側脚体に対し圧力を及ぼす程度に、アーチ・ワイヤがブラケットの一方または両方の側面において唇側の方向に反るということが起こり得る。クリップの唇側脚体が、唇側の方向でブラケットの歯肉側または咬合側の壁体中の切抜部分の境界を画す唇側の止め具と最初から接触していない場合、クリップの唇側脚体はまず、唇側の止め具に寄り掛かるまでわずかに持ち上げられ、その後−アーチ・ワイヤの形状に応じて−クリップの唇側脚体の少なくとも１個のウィングは、唇側の方向に弾性的に反る。驚くことにこれは、歯の不整合の矯正の進行を遅らせる代わりに、むしろ該進行を相当に加速するように作用する。該加速が観察される場合がある極端な不整合の矯正は、舌側に移動した当初の位置からその正常な位置へ歯を移動させること、歯を回転させること、邪魔な歯の抜去により残った歯列中の空隙に歯を動かしその中に歯を回転させることを含む。
【０００９】
本発明に従ったブラケットにおいて、クリップ−ウィングを除く−は、好ましくは２対の結紮ウィングの間に位置する。クリップの幅は、その限りにおいてスロットの長さよりも小さい。クリップの唇側脚体上に提供される少なくとも１個のウィングは、クリップの部分的な拡大を構成する。好ましくは、２個のウィングが提供され、一方は遠心面方向に延び、他方は近心面方向に延びる。ウィングはスロット上に位置し、クリップがその閉位置にあるとき、唇側の方向にスロットの境界を画す。好ましくは、ウィングはスロットの末端を越えて延びない。
【００１０】
ブラケットの歯肉側または咬合側の壁体中の切抜部分は、舌側から唇側の方向において、クリップの唇側脚体の動きのクリアランスの範囲を定める。切抜部分は、スロットの長さよりも小さく、好ましくはさらに、ウィングを横切って測定したクリップの幅よりも小さく、かつ好ましくは２個の歯肉側または咬合側のブラケットのウィングの間の隙間以下である長さを有する。クリップの唇側脚体の歯肉側または咬合側の延長部分は、切抜部分中に突き出る。ブラケットの歯肉側または咬合側の壁体中の切抜部分の長さは、好ましくは、クリップの唇側脚体の延長部分の幅よりも少しだけ大きい。結局のところ、クリップの閉位置における唇側脚体の延長部分の位置は、アーチ・ワイヤによる負荷の下でも、強く限定される。
【００１１】
しかしながら、ウィングはそれらの狭い限定を受けない；ウィングは、アーチ・ワイヤの効果のもとで弾性的に反らせることができ、ウィングの端がアーチ・ワイヤに押し込まれることなく、該アーチ・ワイヤにウィング自体を密接に適合させる。摩擦をさらに減少させるため、ウィングの端は、好ましくは丸みを帯びている。さらに、ウィングの幅がその先端に向かって減少し、その結果ウィングがその先端において最も簡単に曲げることができるような方法でウィングを設計することが好ましく、これは、有利な方法で、円滑にかつ低摩擦でアーチ・ワイヤにウィングを適合させるのに役立つ。
【００１２】
クリップの最も簡単な設計は、両方のウィングがスロットの底部に並行して延びるときに得られる。一層の摩擦の減少は、ウィングが最初から唇側の方向に湾曲する本発明の一層の開発により達成される。ウィングとアーチ・ワイヤの間の摩擦は、ウィングがそこから始まるクリップの主要部分よりも唇側の方向の曲げに対して小さい抵抗を示すような配置をウィングに与えることにより、一層減少させることができる。このことは、例えばクリップの主要部分よりもウィングを薄くすることなどにより、多様な方法で達成することができる。このことは、例えば、ウィングが細長い断片状の半完成品から打ち出されるときにより薄い形状を与えるようにウィングを押し出すことにより、実現することができる。他の１つの方法は、クリップがそこから形成される材料が、クリップの主要部分の領域におけるよりもウィングの領域において、確実に柔らかくなるようにすることからなる。打出しおよび曲げによりクリップをそこから生産することができる細長い断片状の半完成品から始めて、細長い断片状の半完成品は、ウィングがそこから形成される限界領域において焼きなましすることができる。他の１つの可能性は、例えば溝、切抜きまたは穿孔により、ウィングとクリップの主要部分の間の材料を弱くすることにあり、該溝、切抜きまたは穿孔は、クリップが半完成品から打ち出されるときに単一の工程で形成することができる。引用された方法は、ウィングにクリップの主要部分よりも、唇側方向の曲げに対する小さい抵抗を示すようにするものであり、個別に、または組み合わせて使用することができる。
【００１３】
クリップの閉位置において、ウィングは、スロットの上またはスロットの上部領域に位置すべきである。ウィングがクリップの主要部分の上を進むときに、ウィングは、クリップの唇側脚体の延長部分が位置する切抜部分の中に部分的に突き出る場合もある。しかしながら好ましくは、ウィングは、ブラケットの歯肉側または咬合側の壁体中の切抜部分に突き出ない。
【００１４】
アーチ・ワイヤの作用は、クリップのウィングを曲げない場合があるだけでなく、クリップの唇側脚体に対しねじれひずみをかける場合もある。このことは、アーチ・ワイヤが１個のウィングだけに作用する場合、または−２個のウィングが提供される場合で−アーチ・ワイヤが一方のウィングに対するよりも強く他方のウィングに作用するときに、特に真実である。クリップの唇側脚体によりねじれひずみに対して与えられる抵抗は、クリップがそこから作られる材料の形状および弾性だけでなく、クリップの延長部分がその閉位置において位置するブラケットの歯肉側または咬合側の壁体中の切抜部分の形状にも依存する。
【００１５】
クリップの唇側脚体によりねじれひずみに対して与えられる抵抗は、切抜部分の唇側の端が、その閉位置におけるクリップの唇側脚体の延長部分のための唇側の止め具を形成し、先行技術におけるのと同様に直線的にかつスロットの底部と並行して延びないが、切抜部分の遠心面の端と近心面の端との間の領域において舌側の方向に突き出る場合、配置による利点とともに減少させることができる。このことは、切抜部分の唇側の端が、突起の先端と一方の側の切抜部分の遠心面の端および他方の側の切抜部分の近心面の端との間で、唇側の方向において突起の先端から引っ込み、かつ／または退行することを意味する。突起の先端と比較して、切抜部分の唇側の端は、好ましくは、その遠心面および近心面の端の直前の領域において、最大限に退行する。単一の該突起は十分であるが、列中に配置された複数の突起をさらに提供することもできる。１または複数の突起は、クリップの唇側脚体の延長部分が１個の−またはある場合には−いくつかの該延長部分に寄り掛かり、かつ、クリップの延長部分の遠心面または近心面の端のいずれかを切抜部分の引っ込んだ唇側の端の前に存在する空間中に回転させることができるため、より簡単に遭遇したねじれひずみを回避できるという効果を有する。
【００１６】
このことは、その唇側の端が最初から切抜部分の唇側の端に接触しているクリップを有するブラケットにとってのみでなく、クリップの唇側脚体がその当初の位置において、切抜部分の舌側の端に寄り掛かるか、または該舌側の端と寄り掛かる少し前で位置を占める場合のブラケットにとっても利点である。
【００１７】
ブラケットの歯肉側および／または咬合側の壁体中の切抜部分の唇側の端は、舌側の方向に、好ましくはスロットを横切るその中心面に関して鏡像対称的に後退する。このことは、１個のウィングを遠心面方向に延ばし、１個のウィングを近心面方向に延ばし、両方を遠心面方向または近心面方向に延ばすクリップの唇側脚体の放射状の運動を促進する。使用されるクリップが１個のウィングのみを含み、それが遠心面方向または近心面方向に延びる場合、遠心面または近心面方向の回転運動はそれぞれ相応じて促進され、その場合使用されるクリップの種類は、矯正されるべき関係する歯の不整合の性質に応じて選択することができると理解される。
【００１８】
好ましくは、切抜部分の唇側の端の中心部分は、舌側の方向に最大限突き出る。この場合、クリップの唇側脚体は、特定の用途に応じて、一方または他方の方向にロッカーにより該突起上で回転させることができる。該中心に配置された突起は、例えば切抜部分の唇側の端に凸状の形を与えることにより、形成することができる。ねじれひずみを受けているとき、クリップの唇側脚体は、一定の角度を超えて、切抜部分の凸状の端の上で回転する場合がある。
【００１９】
もう１つの方法は、２個の直線部分が提供され、これが一方を他方と比較し１８０度超の角度で延びるように、切抜部分の唇側の端の形状を選択することにある。２個の直線部分はこの場合、共通の、好ましくは中心に配置された角度点から延び、そこで舌側脚体を支えることができ、舌側脚体がそれに向かって傾いている直線部分に接触するまで、ねじれひずみの方向に応じて一方または他方の側面に傾くことが可能となり、その結果、一層のねじれひずみに対する抵抗は、明らかに増大する。
【００２０】
しかしながら、一方を他方と比較して１８０度超の角度で延び、共通の角度点から突き出る該直線部分を提供する代わりに、好ましくはスロットの底部に平行して延びる追加の第３の直線部分を提供する可能性もある。その場合、適度に相称性の負荷がアーチ・ワイヤによって働くことを条件として、唇側脚体は、歯体移行を好都合に促進する固い接触面に遭遇する。
【００２１】
好ましくは、クリップの唇側脚体の延長部分の幅および延長部分が噛み合う切抜部分の長さは、相互に適応し、その結果唇側脚体は、歯列矯正治療の過程においてアーチ・ワイヤにより恒常的に歪められない。
【００２２】
本発明のもう１つの利点は、一方を他方と交換することができる異なる形状のクリップとともにブラケットを使用することができるという事実にある。クリップなしに使用することができるブラケットに加え、本発明に従ったキットはこれにより、第１のクリップの閉位置においてその唇側脚体が唇側の止め具に接触しているか、または唇側の方向でブラケットの歯肉側壁体中の切抜部分の境界を画す止め具の近くに位置する点で、一方が他方から区別される少なくとも２個のクリップを含む。第２のクリップは当技術分野で知られた種類のものであり、その閉位置において、アーチ・ワイヤの作動なしに、舌側の方向にブラケットの歯肉側壁体中の切抜部分の境界を画す舌側の止め具と接触しているか、またはほぼ接触している。
【００２３】
該キットは、歯列矯正医師が、これまで可能であったよりも多くの用途を特に低い費用で扱うことを可能にする。
【００２４】
本発明の一層の特徴および利点は、以下の図面で図解される１個の好ましい実施形態に続く説明から引き出すことができる：
【００２５】
図１は、その閉位置におけるクリップを有するブラケットの上面を示し；
図２は、その開位置におけるクリップを有するブラケットの上面を示し；
図３は、図１中の線Ａ−Ａに沿ったブラケットの断面を示し；
図４は、図２中の線Ｂ−Ｂに沿ったブラケットの断面を示し；
図５は、図１および３に従ったブラケットの歯肉側および唇側の斜視図を示し；
図６は、図２および４に従ったブラケットの歯肉側および唇側の斜視図を示し；
図７は、図５に従ったブラケットの歯肉側および唇側の斜視図を示し；
図８は、その開位置におけるブラケットについて、歯肉側からみたブラケットの歯肉側および唇側の斜視図を示し；
図９は、スケーラが使用された図５のブラケットと同様のブラケットの像を示し；かつ
図１０は、スケーラが使用された図６のブラケットと同様のブラケットの像を示す。
図１１は、図１から１０で図解された種類のブラケットのための変形クリップの斜視図を示し；
図１２は、別の角度からみた、図１１のクリップの斜視図を示し；
図１３は、図１１に従ったクリップの側面を示し；
図１４は、線Ｃ−Ｃに沿って描かれた、図１３に従ったクリップを貫く断面を示し；
図１５は、図５に一致するが、変形クリップを有するブラケットの斜視図を示し；
図１６は、図１５で図解されたブラケットを貫通する、図３のものと同様の断面を示し；かつ
図１７は、図１５で図解されたブラケットの歯肉側の像を示し；
図１８から２０は、変形されたブラケットの図１７と同様の像を示し；かつ
図２１および２２は、本発明の二つの典型的な応用を示す。
【００２６】
ブラケットは、その湾曲が歯面に接合する湾曲したベース１を備えている。ベース１の底面２は、ブラケットの舌側の側面を形成しており、連続して配置された下を切り取られた突起３を備えている。突起３は、図３および４で示す断面において菱形をしており、底面２に並行して描かれた断面において長方形である。歯面上にブラケットを接着するため、底面２上に接着剤を塗布することができる。突起３と接着剤の間で挟み込むと良好な接着強度を提供する。突起３および、それとともに下の切込み部分は、それぞれの列において同一の方向を向いている。しかしながら列の間では、それらは交互に別々の方向を向いている。このことは、推力が歯肉側から咬合側の方向でブラケットにかけられるとき、同一の接着力が、咬合側から歯肉側の方向で作用する力の場合と同様に達成されるという効果を有する。
【００２７】
図１は、歯肉側から咬合側および遠心面から近心面の方向に関して、ブラケットが装着される歯の配列を示す。
【００２８】
ベース１は、歯肉側壁体５および咬合側壁体６を支える支持体４に変化する。２個の壁体５および６は一方が他方に対し並行して延び、遠心面から近心面の側の直線に沿って継続的に延び唇側の方向に開いているスロット７によって分離される。
【００２９】
歯肉側の方向に突き出る２個の結紮ウィング８は、歯肉側壁体５の上に提供される。咬合側の方向に突き出る２個の結紮ウィング９は、咬合側壁体６の上に提供される。これらのウィングは、当技術分野の者に知られた方法で結紮ワイヤを装着するのに役立つ。
【００３０】
スロット７は、アーチ・ワイヤ１０を収容するために機能し、これは明確に長方形の断面を有している。アーチ・ワイヤ１０に予備応力を与えることにより、圧力をスロット７の底部１１にかけることができ、トルクをブラケットの壁体５および６にかけることができる。このため、スロット７の明確な断面は、実質的に長方形の形状を有している。本件の場合、該断面は、歯肉側壁体の上の低い高さの平坦なリブ１２および咬合側壁体６の上の低い高さの平坦なリブ１３により、わずかに狭くなっており、このことは、スロット７におけるアーチ・ワイヤ１０の摩擦を減少させるのに役立つ。以下でさらに詳細に説明するように、スロット７のベース１１は、同じ高さで継続的に延びないが、中断する。このことは同様に、スロット７におけるアーチ・ワイヤ１０の摩擦を減少させる。スロット７の末端において、溝の底の上の丸みを帯びている斜めの表面１４、歯肉側壁体５の上の丸みを帯びている斜めの表面１５、および咬合側壁体６の上の丸みを帯びている斜めの表面１６が提供されており、これらは、スロット７への入口を拡大させ、さらにスロット７においてアーチ・ワイヤ１０が遭遇する摩擦を減少させるのに役立つ；このことは、アーチ・ワイヤが必然的に特に不規則な形状を有する歯の重症の不整合のときに特に有益である。
【００３１】
咬合側壁体６において、スプリング、小さいフックまたは付属的なワイヤなどのいくつかの付属部品を収容するため、遠心面から近心面の側に継続的に延びる経路１７が提供される。
【００３２】
スロット状の通路１８が、スロット７の底部１１に並行して延びる平坦な表面１９によりその舌側の側面上で境界を画され、スロット７の底部１１に並行してスロット７の底部１１の下に延びる。該表面１９は、咬合側壁体６で始まり、ブラケットを通じて交差するように延び、当初は支持体４を通じて、最終的にはそのベース１におけるブラケットの歯肉側の部分を通じて進む。結紮ウィング８および９の付近で、通路１８は、一方が他方に対し並行しかつ舌側の表面１９に対し直角に延びる狭い側壁２０によって境界を画される。通路１８の上で、咬合側壁体６は、スロット７から離れて向いているその側面の上に、筒状の覆いの形の表面６ａを備え、これは、通路１８の領域において平坦な表面６ｂに変化し、舌側の表面１９に並行して延び、通路１８の唇側の側面上に配置される。このことは、ブラケットの咬合側に通路１８への漏斗状の入口を提供する。側壁２０の間で、スロット７の底部は、通路１８の舌側の表面１９まで下げられる。
【００３３】
歯肉側壁体５において、舌側の表面１９、側壁２０、およびその間に中断２３が歯肉側壁体５に存在する側壁２０に続く反対側に向いた突起２２、側壁２０に並行して延びる２個の端３４、ならびに唇側の端３５によって縁取られる窓２１が提供される。突起２２の舌側の端は、咬合側壁体６における通路１８の唇側の表面６ｂと一列に並び、唇側の表面６ｂと同様、クリップ２５の舌側脚体のためのガイドとして機能する。端３４および３５は、突起２２と同様に窓２１の構成要素であり、実質的に長方形の切抜部分２４の境界を画し、該切抜部分は、遠心面から近心面の方向で測定して、突起２２の間の間隔よりも大きいが、歯肉側の結紮ウィング８の間の間隔よりも小さく、さらに、本件の場合側壁２０の間の間隔と同一であるリブ１２および１３の間の間隔よりも小さい長さを有する。歯肉側壁体５の上に提供されるリブ１２は、同時に突起２２の唇側の端である長方形の切抜部分２４の舌側の端の高さで終了する。
【００３４】
ブラケットは、スプリング材料から作られるクリップ２５を含む。ブラケットは、直線的な舌側脚体２６および、後者と比較してより短い、概ね直線的な形状の唇側脚体２７を有する。２個の脚体２６および２７は、概ね円弧の形状を有する咬合側の部分２８により連結される。該部分は、ほとんど遊びなしに通路１８に嵌め込まれる舌側の部分２６と同じ幅を有している。唇側脚体２７は、概ねスロット７の長さまで広がる。唇側脚体２７は、舌側脚体２６に対して並行でなくむしろ鋭角に延び、咬合側の部分２８からの途上において後者に近づく。唇側脚体２７は、その歯肉側の末端上で歯肉側の方向に延びる延長部分２９を備えており、これは唇側の方向に折り曲がっている。延長部分２９は、唇側脚体２７よりも狭く、舌側脚体２６よりも狭い；該延長部分は、切抜部分２４にほとんど遊びなく嵌め込まれ、該切抜部分は、歯肉側壁体５中の窓２１の一部である。
【００３５】
舌状部分３０は、その歯肉側の末端２６ａの近くで舌側脚体２６から切り抜かれ、咬合側の部分２８に向かう方向で、舌側脚体２６に比較して鋭角に持ち上げられる。
【００３６】
クリップ２５は、咬合側の方向から通路１８に入ってくる舌側脚体２６を挿入することによりブラケットと連結される。この過程の間、舌状部分３０は、通路１８の狭くなる入口を通じて、該舌状部分がそこから切り抜かれた舌側脚体２６の切抜部分の中に、徐々に押し進められる。一旦舌状部分３０が咬合側壁体６を通過すると、該舌状部分は跳ね返り、その後咬合側壁体６に向けられ、もはや抜けることがないという結果となる。クリップ２５がこの位置に進むにつれ、延長部分２９は、筒状の覆いの形状を有する咬合側壁体６の表面６ａ上に衝突し、その唇側の表面まで該壁体に沿って滑り、それによりクリップ２５は、その弾性復元力の作動に対して拡大する。クリップ２５がさらに進むにつれて、クリップ２５の唇側脚体２７は、咬合側壁体６の唇側の表面から滑り落ち、スロット７に跳び込み、そこで該唇側脚体はアーチ・ワイヤ１０に対してもたれ掛かる。クリップ２５の跳ね返る動作は、その延長部分２９が切抜部分２４と噛み合うまで、スプリングが咬合側壁体６によって押し戻されるため、スプリングをさらに助長するという効果を有する。その結果、アーチ・ワイヤ１０が、その延長部分２９が切抜部分２４の唇側の端３５に衝突する地点を越えて、クリップの唇側脚体２７を持ち上げることができないため、スロット７中のアーチ・ワイヤ１０は固定される。切抜部分２４の舌側の端３７は、同時に突起２２の唇側の端である；それらは、クリップ２５の唇側脚体２７とスロット７の底部１１の間の最も小さい間隔を決定する。このことは、スロット７に位置するより薄いアーチ・ワイヤが舌側の端３７に到達せず、クリップ２５の締付け効果に曝されないという利点を提供する。該より薄いアーチ・ワイヤはしばしば、歯の位置の矯正のための治療の初期に使用され、それらが締め付けられないことを条件として、矯正過程を加速する。より厚いアーチ・ワイヤ１０は、唇側脚体２７に弾性的に接触している。アーチ・ワイヤ１０とクリップ２５の間の摩擦を減少させるため、唇側脚体２７の遠心面および近心面の端は、好ましくは丸みを帯びているか、または斜めの表面を備える。
【００３７】
その閉位置（図１、図３、図５、図９）からその開位置（図２、図４、図６、図１０）までクリップ２５を移動するため、例えばスケーラのような道具３１が使用され、それは、図１、３および９で図解するように、舌側脚体２６の歯肉側の端にあてがわれる。誰でも見る必要なしにこの点を感知することができ、それは、表面１９がその舌側で通路１８の境界を画し、クリップ２５の舌側脚体２６の歯肉側の末端を越えて突き出る程度に遠くまで、歯肉側の方向に延びるためである。さらに、舌側の表面１９に提供された溝３２は、該表面の歯肉側の末端から始まり、舌側脚体２６の下の地点まで延びる。該溝３２は、２個の凹上の部分３２ｂに接するほぼ平坦な中央部分３２ａを有し、このことは、中央部分３２ａと舌側の表面１９の間の変化を提供する。溝３２は、歯肉側から咬合側の方向に狭くなっており、止め具３３で終わる。溝３２は、道具３１の配置補助具として機能し、道具３１は、溝３２を感知するのに役立つ。一旦溝３２が見つかると、クリップ２５は、道具３１の先端を使用して歯肉側から咬合側の方向に移動し、道具３１の先端はさらに溝３２によって正しい方向に導かれる。移動の動きは、道具３１が止め具３３に衝突するときに終わる。止め具３３は、道具３１がクリップ２５の移動の間に止め具３３に衝突するときに、舌状部分３０が図４で示される咬合側壁体６の少し前の位置を占めるように配置される。クリップ２５はそのとき、その開位置にある。この開位置において、クリップの唇側脚体２７は、咬合側壁体６上でその静止位置にあり、そこで、唇側の方向からのスロット７への接触を解放する。
【００３８】
止め具３３が道具３１により覆われる場合であっても、クリップ２５は、舌状部分３０が咬合側壁体６に衝突するまでの間のみ、咬合側の方向に移動させることができる。従ってクリップ２５は、その閉位置（図３）からその開位置（図４）までの移行の間はずれることがない。クリップ２５をブラケットから完全に分離するために、道具を使用して、舌状部分３０がそこから切り抜かれたへこみに舌状部分３０を押し込み、舌状部分３０を押し下げた状態で、クリップ２５を咬合側の方向にさらに遠くまで押すか引くことが必要である。
【００３９】
破線のみにより図中に示される切込み３６は、クリップ２５の舌側脚体２６の歯肉側の端の上の中央に提供することができる。該切込みは、溝３２の代わりに、または溝３２に追加して、配置補助具として機能する場合がある。
【００４０】
図１１から１４は、その端全体３８が丸みを帯びているという点で図１から図１０で図解されたクリップ２５と異なる変形クリップ２５を示す。該丸みを帯びている形態は、それがアーチ・ワイヤ１０の低摩擦の移動を可能とするため、スロット７の領域において特に有益である。クリップ２５中の穴２５ａは、ブラケット上のクリップ２５の移動のために道具を組み込むことを可能にする。
【００４１】
図１５および１６で図解されたブラケットは、変形クリップ２５の使用により、図１から図１０で図解されたものと実質的に異なる。実質的な相違は、図１１から１４で図解されたクリップ２５の場合に提供される唇側脚体２７中の穴３９には認められない。むじろ、図１５および１６で図解された実施例のクリップ２５は、図１から図１０におけるよりも小さい程度で曲げられる。このことは、唇側脚体の延長部分２９がもはや、アーチ・ワイヤ１０の動きなしに、舌側で切抜部分２４の境界を画し図１から１０のクリップ２５の唇側脚体２７のために舌側の止め具を形成する突起２２の舌側の端３７の上に位置しないという効果を有する。その代わり、唇側脚体２７の延長部分２９は、クリップ２５の唇側脚体２７の延長部分２９のための唇側の止め具を形成する切抜部分２４の唇側の端３５の下に密接して位置する。延長部分２９は、止め具２５に接触する場合があるが、クリップ２５は、小さな間隔が延長部分２９と止め具３５の間に残されるとき、より容易に、図１６で図解されるようにその閉位置に移動させることができる；当該小さな間隔は、舌側の止め具３７から唇側の止め具３５の間隔に比べて小さくなければならない。
【００４２】
唇側脚体２７上に提供された２個のウィング３９および４０は、延長部分２９の近くで唇側脚体２７上に位置し、遠心面および／または近心面方向に延びる。クリップ２５の閉位置において、該ウィングは、スロットの上またはスロット７の上部領域に位置し、該領域は、該ウィングにより唇側の方向で境界を画される。
【００４３】
ウィング３９および４０の端は、丸みを帯びている。ウィング３９および４０の歯肉側のウィングの端は、直線的であり、歯肉側壁体５と実質的に並行して延びる。ウィング３９および４０の咬合側の端は、対照的に、歯肉側壁体５に比較して鋭角に延び、その結果、ウィング３９および４０は、その先端に向かって先細りになり、それによりアーチ・ワイヤ１０に対するウィングの低摩擦の適合に有益である。
【００４４】
図１７は、図１５および１６で示されるのと同様のブラケットにおけるクリップ２５の唇側脚体２７の歯肉側からみた典型的な位置であり、これは、舌側から唇側の方向にスロット７を通じて斜めに延びるアーチ・ワイヤ１０による負荷のもとで得られるであろうものであり、ウィング３９よりもウィング４０に対しより重い負荷をかける。延長部分２９は、この場合、図１７で図解された斜めの位置に、ウィング４０に近いその丸みを帯びている端３８の周辺で傾くことが可能であり、それにより、唇側脚体２７におけるねじれひずみを強める。延長部分２９がそれに対して寄り掛かる切抜部分２４の唇側の端３５は、この場合直線的であり、スロット７の底部１１に並行して延びる。
【００４５】
唇側脚体２７の延長部分２９の傾きは、唇側の端３５の輪郭が図１８で図解する方法により図１７で示すものに比べて変形しているとき、促進される。この場合、唇側の端３５は舌側の方向に突出し、それにより、２個の直線部分４７および４８がそこから切抜部分２４の遠心面および近心面の端３４に至る中心の角度点４９を形成する。２個の直線部分４７および４８は、わずかに１８０度より大きい一方から他方に対する角度で延びる。唇側の端３５は、近心面および遠心面の端３４に向かって角度点４９に比較して後退しており、それにより、延長部分２９のために空間が提供され、延長部分２９が直線部分４８に寄り掛かるまで、延長部分２９は該空間に傾く。それ以上の傾く動きは、抵抗の急激な増大により妨げられ、これは、ウィング４０も弾性的に曲げる効果を有する追加のねじれひずみを強化することによってのみ克服できる。
【００４６】
図１９で図解された実施形態は、スロット７の底部に並行して延びる第３の中央に配置された直線部分５０が唇側の端３５の２個の直線部分４７および４８の間に提供されるという点で、図１８で図解されたものと異なる。部分５０は、２個のウィング３９および４０がアーチ・ワイヤ１０によりほぼ対称的に負荷をかけられるとき、延長部分２９が安定した位置で静止する平坦な止め具を形成する。ウィング３９および４０は、半径方向にアーチ・ワイヤ１０により該位置において曲げることができる。
【００４７】
図２０は、図１９で図解したブラケットを示すが、ウィング４０は、延長部分２９が図１９で示すように直線部分４８に傾き、さらにウィング４０が唇側の方向に明らかに曲がるという２重の効果を有する、より強い一方的な負荷に曝されている。
【００４８】
図２１は、歯４１の位置の矯正のための実施形態の１つの実施例を示し、そこでは、歯は舌側の方向に移動した当初の位置を示し、そこから通常の位置にある２本の歯４２および４３の間に存在する空間に移動する。このため、同じ基本構造のブラケット４４、４５、４６はそれぞれ、３本の歯４１、４２、４３のそれぞれに接着される。ブラケット４４および４５は、図１１から１４で図解された種類のクリップ２５（請求項５で「第２」のクリップと説明されたもの）で図１から１０で図解された種類の配置にあるものを含み、このことは、唇側脚体２７の延長部分２９がスロット７の底部に対しアーチ・ワイヤ１０を押し込むことを意味する。該配置とは反対に、移動すべき歯４１は、図１５および１６で図解された配置のクリップ２５’（請求項５で「第１」のクリップと説明されたもの）を有するブラケット４６を備えており、このことは、クリップ２５’の唇側脚体の延長部分２９が、アーチ・ワイヤ１０により負荷をかけられることがなくても、止め具３５と接触しているか、またはほぼ接触していることを意味する。３個のブラケット４４、４５および４６に嵌め込まれた張力のかかったアーチ・ワイヤ１０は、ブラケット４６におけるクリップ２５’の両方のウィング３９および４０を弾性的に反らせ、その結果、該ウィングは曲線に沿ってアーチ・ワイヤ１０に適合する。それらは歯４１上に働く矯正力を増大させる一方、歯４１上でそれらによりかけられる摩擦は、歯４１の位置の矯正の過程を実質的に加速するのに十分な程度に低い。
【００４９】
図２２で図解された実施形態は、矯正させるべき歯４１が回転によりその目標位置に運ばれるという点で、図２１で図解されたものと異なる。従ってアーチ・ワイヤ１０は、ブラケット４６中のクリップ２５’のウィング３９のみを弾性的に反らせる。ウィング４０は、アーチ・ワイヤ１０に接触していない。歯の位置の矯正は、この場合も加速される。
【図面の簡単な説明】
【００５０】
【図１】閉位置におけるクリップを有するブラケットの上面を示す。
【図２】開位置におけるクリップを有するブラケットの上面を示す。
【図３】図１中の線Ａ−Ａに沿ったブラケットの断面を示す。
【図４】図２中の線Ｂ−Ｂに沿ったブラケットの断面を示す。
【図５】図１および３に従ったブラケットの歯肉側および唇側の斜視図を示す。
【図６】図２および４に従ったブラケットの歯肉側および唇側の斜視図を示す。
【図７】図５に従ったブラケットの歯肉側および唇側の斜視図を示す。
【図８】開位置におけるブラケットについて、歯肉側からみたブラケットの歯肉側および唇側の斜視図を示す。
【図９】スケーラが使用された図５のブラケットと同様のブラケットの像を示す。
【図１０】スケーラが使用された図６のブラケットと同様のブラケットの像を示す。
【図１１】図１から１０で図解された種類のブラケットのための変形クリップの斜視図を示す。
【図１２】別の角度からみた、図１１のクリップの斜視図を示す。
【図１３】図１１に従ったクリップの側面を示す。
【図１４】線Ｃ−Ｃに沿って描かれた、図１３に従ったクリップを貫く断面を示す。
【図１５】図５に一致するが、変形クリップを有するブラケットの斜視図を示す。
【図１６】図１５で図解されたブラケットを貫通する、図３のものと同様の断面を示す。
【図１７】図１５で図解されたブラケットの歯肉側の像を示す。
【図１８】変形されたブラケットの図１７と同様の像を示す。
【図１９】変形されたブラケットの図１７と同様の像を示す。
【図２０】変形されたブラケットの図１７と同様の像を示す。
【図２１】本発明の二つのうちの一つの典型的な応用を示す。
【図２２】本発明の二つのうちの他方の典型的な応用を示す。
【符号の説明】
【００５１】
１．  ベース
２．  １の底面
３．  突起
４．  支持体
５．  歯肉側壁体
６．  咬合側壁体
６ａ．  筒状の覆いの形状を有する表面
６ｂ．  唇側の表面
７．  スロット
８．  歯肉側の結紮ウィング
９．  咬合側の結紮ウィング
１０．  アーチ・ワイヤ
１１．  ７の底部
１２．  ５の上のリブ
１３．  ６の上のリブ
１４．  １１の上の斜めの表面
１５．  ５の上の斜めの表面
１６．  ６の上の斜めの表面
１７．  経路
１８．  通路
１９．  舌側の表面
２０．  側壁
２１．  ５の中の窓
２２．  ５の中の突起物
２３．  ５の中の中間
２４．  切抜部分
２５．  クリップ
２５’．  クリップ
２５ａ．  穴
２６．  舌側脚体
２６ａ．  歯肉側の末端
２７．  唇側脚体
２８．  ２５の咬合側の部分
２９．  ２７の延長部分
３０．  舌状部分
３１．  道具
３２．  溝
３２ａ．  ３２の中央部分
３２ｂ．  ３２の外側部分
３３．  止め具
３４．  ２１の端
３５．  ２１の唇側の端、唇側の止め具
３６．  切込み
３７．  ２１の舌側の端、舌側の止め具
３８．  ２５の端
３９．  ウィング
４０．  ウィング
４１．  歯
４２．  歯
４３．  歯
４４．  ブラケット
４５．  ブラケット
４６．  ブラケット
４７．  ３５の直線部分
４８．  ３５の直線部分
４９．  角度点
５０．  ３５の直線部分
【図１】
0005123570.tif 000002
【図２】
0005123570.tif 000003
【図３】
0005123570.tif 000004
【図４】
0005123570.tif 000005
【図５】
0005123570.tif 000006
【図６】
0005123570.tif 000007
【図７】
0005123570.tif 000008
【図８】
0005123570.tif 000009
【図９】
0005123570.tif 000010
【図１０】
0005123570.tif 000011
【図１１】
0005123570.tif 000012
【図１２】
0005123570.tif 000013
【図１３】
0005123570.tif 000014
【図１４】
0005123570.tif 000015
【図１５】
0005123570.tif 000016
【図１６】
0005123570.tif 000017
【図１７】
0005123570.tif 000018
【図１８】
0005123570.tif 000019
【図１９】
0005123570.tif 000020
【図２０】
0005123570.tif 000021
【図２１】
0005123570.tif 000022
【図２２】
0005123570.tif 000023